(57)【要約】【課題】所定の用紙に記入した情報を消去可能であるとともに、電子データの送信先となるパーソナルコンピュータ等の情報処理機器において、消去された情報を認識する。【解決手段】所定の用紙に情報を記入するためのペン部１０によって所定の用紙上に記入された情報を消去するための消しゴム８０と、所定の用紙上における消しゴム８０の軌跡を撮影するためのカメラ３０ｂとを設け、さらに、制御部６０において、カメラ３０ｂにて撮影された軌跡から消しゴム８０による消し跡情報を算出し、ペン部１０による筆跡情報と消しゴム８０による消し跡情報とを、時系列にメモリ４０に記録し、通信部７０において、メモリ４０に記憶され、制御部６０の制御により読み出された筆跡情報及び消し跡情報をこれらの時系列状態が認識可能となるような形態で送信する。【選択図】　図１
2004094558.tif 000002
【特許請求の範囲】
【請求項１】
所定のパターンを有するドット情報が印刷された用紙に情報を記入するためのペン部と、前記用紙上にて前記ペン部が通過した領域のドット情報を撮影するための第１の撮影手段と、前記第１の撮影手段にて撮影されたドット情報から前記ペン部による筆跡情報を算出する制御手段と、前記制御手段にて算出された筆跡情報が記録される記録手段と、前記記録手段に記録され、前記制御手段の制御により読み出された筆跡情報を送信する通信手段とを有してなるデジタルペンにおいて、
前記ペン部によって前記用紙上に記入された情報を消去するための消去手段と、
前記用紙上にて前記消去手段が通過した領域のドット情報を撮影するための第２の撮影手段とを有し、
前記制御手段は、前記第２の撮影手段にて撮影されたドット情報から前記消去手段による消し跡情報を算出し、前記ペン部による筆跡情報と前記消去手段による消し跡情報とを、時系列に前記記録手段に記録し、
前記通信手段は、前記記録手段に記録され、前記制御手段の制御により読み出された筆跡情報及び消し跡情報をこれらの時系列状態が認識可能となるような形態で送信することを特徴とするデジタルペン。
【請求項２】
所定のパターンを有するドット情報が印刷された用紙に情報を記入するためのペン部と、前記用紙上にて前記ペン部が通過した領域のドット情報を撮影するための第１の撮影手段と、前記第１の撮影手段にて撮影されたドット情報から前記ペン部による筆跡情報を算出する制御手段と、前記制御手段にて算出された筆跡情報が記録される記録手段と、前記記録手段に記録され、前記制御手段の制御により読み出された筆跡情報を送信する通信手段とを有してなるデジタルペンにおいて、
前記ペン部によって前記用紙上に記入された情報を消去するための消去手段と、
前記用紙上にて前記消去手段が通過した領域のドット情報を撮影するための第２の撮影手段とを有し、
前記制御手段は、前記第２の撮影手段にて撮影されたドット情報から前記消去手段による消し跡情報を算出し、前記記録手段に記録された筆跡情報から前記消し跡情報による位置における筆跡情報を消去し、該筆跡情報を前記記録手段に記録することを特徴とするデジタルペン。
【請求項３】
請求項１または請求項２に記載のデジタルペンにおいて、
前記ペン部における筆圧を検出する筆圧検出手段と、
前記消去手段における消し圧を検出する消し圧検出手段とを有し、
前記制御手段は、前記筆圧検出手段にて検出された筆圧が所定値よりも高くなった場合に、前記第１の撮影手段にて撮影されたドット情報から前記ペン部による筆跡情報を算出し、前記消し圧検出手段にて検出された消し圧が所定値よりも高くなった場合に、前記第２の撮影手段にて撮影されたドット情報から前記消去手段による消し跡情報を算出することを特徴とするデジタルペン。
【請求項４】
請求項３に記載のデジタルペンにおいて、
前記制御手段は、前記消し圧検出手段にて検出された消し圧が所定値よりも高く、かつ、前記ドット情報が認識されない状態が所定時間続いた場合、アラームを出力することを特徴とするデジタルペン。
【発明の詳細な説明】
【０００１】
【発明の属する技術分野】
本発明は、所定の用紙に記入した情報が電子データとして送信されるデジタルペンに関する。
【０００２】
【従来の技術】
従来より、所定の用紙に記入した情報を電子データとして送信するデジタルペンが利用されている。
【０００３】
図６は、従来のデジタルペンの一構成例を示す図である。
【０００４】
本従来例は図６に示すように、所定の用紙に情報を記入するためのペン部１１０と、ペン部１１０における筆圧を検出する筆圧センサー１２０と、ペン部１１０が対向する領域を撮影するカメラ１３０と、筆圧センサー１２０にて検出される筆圧によってペン部１１０にて所定の用紙に情報が記入されていると判断された場合に、その際にカメラ１３０にて撮影された情報からペン部１２０による筆跡情報を算出する制御部１６０と、制御部１６０にて算出された筆跡情報が記録されるメモリ１４０と、メモリ１４０に記録され、制御部１６０の制御により読み出された筆跡情報を送信する通信部１５０と、電源を供給する電源部１７０とから構成されている。
【０００５】
上記のように構成されたデジタルペンは、所定のパターンを有するドットが印刷された用紙に情報を記入することにより、その情報が電子データとしてパーソナルコンピュータ等の情報処理機器に送信されることになる。詳細には、デジタルペンにおいては、所定のパターンを有するドット情報が印刷された用紙に情報が記入された場合、その際にペン部１１０が通過した領域のドット情報から筆跡情報が算出され、算出された筆跡情報が電子データとして送信される。
【０００６】
所定のパターンを有するドットが印刷された用紙にペン部１１０によって情報を記入すると、筆圧センサー１２０において検出されるペン部１１０における筆圧が高くなり、それにより、制御部１６０において、ペン部１１０にて所定の用紙に情報が記入されていると判断される。
【０００７】
また、カメラ１３０においては、用紙に印刷されたドットのうち、ペン部１１０が対向する領域のドットが撮影されており、ペン部１１０にて所定の用紙に情報が記入されていると判断された場合、制御部１６０において、その際にカメラ１３０にて撮影されたドットの軌跡からペン部１１０による筆跡情報が算出される。
【０００８】
制御部１６０にて算出されたペン部１１０による筆跡情報はメモリ１４０に記録される。
【０００９】
その後、情報の記入が終了し、このデジタルペンを使用しているユーザがデジタルペンに設けられたボタン（不図示）等を押下したり、用紙に設けられたファンクションエリアにチェックマークを記入したりする等といった操作を行うことにより、所定の用紙に記入した情報を送信することを指定すると、制御部１６０において、メモリ１４０に記録された情報が読み出され、通信部１５０を介して送信される。ここで、通信部１５０においては、メモリ１４０から読み出された情報を、例えば、Ｂｌｕｅｔｏｏｔｈ技術等を用いて送信する。
【００１０】
通信部１５０から送信された情報は、パーソナルコンピュータ等の情報処理機器にて受信され、デジタルペンによって所定の用紙に記入された情報が電子データとして与えられることになる。
【００１１】
【発明が解決しようとする課題】
しかしながら、上述したような従来のデジタルペンにおいては、所定の用紙に記入した情報を消去することができないという問題点がある。
【００１２】
また、所定の用紙に記入した情報を消去するために、消しゴム等で消去可能なインクを用いて情報を記入した場合であっても、所定の用紙に記入した情報を消しゴム等で消去することはできるものの、電子データとして送信するためにデジタルペン内部に蓄積されたデータを消去することはできないため、電子データの送信先となるパーソナルコンピュータ等の情報処理機器においては、消去された情報を認識することができないという問題点がある。
【００１３】
本発明は、上述したような従来の技術が有する問題点に鑑みてなされたものであって、所定の用紙に記入した情報を消去可能であるとともに、電子データの送信先となるパーソナルコンピュータ等の情報処理機器において、消去された情報を認識することができるデジタルペンを提供することを目的とする。
【００１４】
【課題を解決するための手段】
上記目的を達成するために本発明は、
所定のパターンを有するドット情報が印刷された用紙に情報を記入するためのペン部と、前記用紙上にて前記ペン部が通過した領域のドット情報を撮影するための第１の撮影手段と、前記第１の撮影手段にて撮影されたドット情報から前記ペン部による筆跡情報を算出する制御手段と、前記制御手段にて算出された筆跡情報が記録される記録手段と、前記記録手段に記録され、前記制御手段の制御により読み出された筆跡情報を送信する通信手段とを有してなるデジタルペンにおいて、
前記ペン部によって前記用紙上に記入された情報を消去するための消去手段と、
前記用紙上にて前記消去手段が通過した領域のドット情報を撮影するための第２の撮影手段とを有し、
前記制御手段は、前記第２の撮影手段にて撮影されたドット情報から前記消去手段による消し跡情報を算出し、前記ペン部による筆跡情報と前記消去手段による消し跡情報とを、時系列に前記記録手段に記録し、
前記通信手段は、前記記録手段に記録され、前記制御手段の制御により読み出された筆跡情報及び消し跡情報をこれらの時系列状態が認識可能となるような形態で送信することを特徴とする。
【００１５】
また、所定のパターンを有するドット情報が印刷された用紙に情報を記入するためのペン部と、前記用紙上にて前記ペン部が通過した領域のドット情報を撮影するための第１の撮影手段と、前記第１の撮影手段にて撮影されたドット情報から前記ペン部による筆跡情報を算出する制御手段と、前記制御手段にて算出された筆跡情報が記録される記録手段と、前記記録手段に記録され、前記制御手段の制御により読み出された筆跡情報を送信する通信手段とを有してなるデジタルペンにおいて、
前記ペン部によって前記用紙上に記入された情報を消去するための消去手段と、
前記用紙上にて前記消去手段が通過した領域のドット情報を撮影するための第２の撮影手段とを有し、
前記制御手段は、前記第２の撮影手段にて撮影されたドット情報から前記消去手段による消し跡情報を算出し、前記記録手段に記録された筆跡情報から前記消し跡情報による位置における筆跡情報を消去し、該筆跡情報を前記記録手段に記録することを特徴とする。
【００１６】
また、前記ペン部における筆圧を検出する筆圧検出手段と、
前記消去手段における消し圧を検出する消し圧検出手段とを有し、
前記制御手段は、前記筆圧検出手段にて検出された筆圧が所定値よりも高くなった場合に、前記第１の撮影手段にて撮影されたドット情報から前記ペン部による筆跡情報を算出し、前記消し圧検出手段にて検出された消し圧が所定値よりも高くなった場合に、前記第２の撮影手段にて撮影されたドット情報から前記消去手段による消し跡情報を算出することを特徴とする。
【００１７】
また、前記制御手段は、前記消し圧検出手段にて検出された消し圧が所定値よりも高く、かつ、前記ドット情報が認識されない状態が所定時間続いた場合、アラームを出力することを特徴とする。
【００１８】
（作用）
上記のように構成された本発明においては、所定のパターンを有するドット情報が印刷された用紙にペン部にて情報が記入されると、第１の撮影手段においてその用紙上にてペン部が通過した領域のドット情報が撮影される。すると、制御手段において、第１の撮影手段にて撮影されたドット情報からペン部による筆跡情報が算出され、この筆跡情報は記録手段に記録される。また、その用紙に記入された情報が消去手段にて消去されると、第２の撮影手段において、その用紙上にて消去手段が通過した領域のドット情報が撮影される。すると、制御手段において、第２の撮影手段にて撮影されたドット情報から消去手段による消し跡情報が算出され、この消し跡情報は記録手段に記録される。この筆跡情報及び消し跡情報は、記録された順序に従って時系列に記録される。その後、制御手段において、記録手段に記録された筆跡情報及び消し跡情報とが読み出され、通信手段から送信される。通信手段から送信された筆跡情報及び消し跡情報は、情報処理機器にて受信されるが、受信された筆跡情報及び消し跡情報は、これらの時系列状態が認識可能となるような形態となっているので、情報処理機器においては、受信された筆跡情報のうち該筆跡情報の後に記録された消し跡情報による位置における筆跡情報を消去すれば、所定の用紙に記入された情報を電子データとして得ることができる。
【００１９】
このように、ペン部にて用紙に記入された情報を消去手段にて消去可能とし、かつ、この消去手段による消し跡情報を算出し、ペン部による筆跡情報と消去手段による消し跡情報とを、これらの時系列状態が認識可能となる形態で送信するので、用紙に記入した情報を消去可能であるとともに、電子データの送信先となるパーソナルコンピュータ等の情報処理機器において、消去された情報を認識することができる。
【００２０】
また、制御手段において、筆跡情報から消し跡情報による位置における筆跡情報を消去すれば、用紙に記入された情報の電子データを情報処理機器に送信することができる。
【００２１】
また、制御手段において、消し圧検出手段にて検出された消し圧が所定値よりも高く、かつ、ドット情報が認識されない状態が所定時間続いた場合にアラームを出力すれば、消去手段の状態が不適切な状態であることを通知することができる。
【００２２】
【発明の実施の形態】
以下に、本発明の実施の形態について図面を参照して説明する。
【００２３】
図１は、本発明のデジタルペンの実施の一形態を示す図である。
【００２４】
本形態は図１に示すように、所定の用紙に情報を記入するためのペン部１０と、ペン部１０における筆圧を検出する筆圧検出手段である筆圧センサー２０と、ペン部１０が対向する領域を撮影する第１の撮影手段であるカメラ３０ａと、所定の用紙に記入された情報を消去するための消去手段である消しゴム８０と、消しゴム８０における消し圧を検出する消し圧検出手段である消し圧センサー９０と、消しゴム８０が対向する領域を撮影する第２の撮影手段であるカメラ３０ｂと、筆圧センサー２０にて検出される筆圧によってペン部１０にて所定の用紙に情報が記入されていると判断された場合に、その際にカメラ３０ａにて撮影された情報からペン部２０による筆跡情報を算出するとともに、消し圧センサー９０にて検出される消し圧によって消しゴム８０が所定の用紙に接触していると判断された場合に、その際にカメラ３０ｂにて撮影された情報から消しゴム８０による消し跡情報を算出する制御部６０と、制御部６０にて算出された筆跡情報及び消し跡情報が記録される記録手段であるメモリ４０と、メモリ４０に記録され、制御部６０の制御により読み出された筆跡情報及び消し跡情報を送信する通信部５０と、電源を供給する電源部７０とから構成されている。
【００２５】
上記のように構成されたデジタルペンは、所定のパターンを有するドットが印刷された用紙に情報を記入することにより、その情報が電子データとしてパーソナルコンピュータ等の情報処理機器に送信されることになる。詳細には、デジタルペンにおいては、所定のパターンを有するドット情報が印刷された用紙に情報が記入された場合、その際にペン部１０が通過した領域のドット情報から筆跡情報が算出され、算出された筆跡情報が電子データとして送信される。
【００２６】
以下に、上記のように構成されたデジタルペンの動作について説明する。
【００２７】
まず、図１に示したデジタルペンを用いて所定の用紙に情報を記入する場合の動作について説明する。
【００２８】
図２は、図１に示したデジタルペンを用いて所定の用紙に情報を記入する場合の動作を説明するためのフローチャートである。
【００２９】
カメラ３０ａにおいては、ペン部１０が対向する領域が常時撮影されており、また、制御部６０においては、筆圧センサー２０にて検出される筆圧が常時監視されている。
【００３０】
この状態において、所定のパターンを有するドットが印刷された用紙にペン部１０によって情報を記入すると、筆圧センサー２０において検出されるペン部１０における筆圧が高くなり、制御部６０において、筆圧が所定値よりも高くなった場合、ペン部１０にて所定の用紙に情報が記入されていると判断される（ステップＳ１）。
【００３１】
すると、制御部６０において、用紙に印刷されたドットのうち、ペン部１０にて用紙に情報が記入されていると判断された際にカメラ３０ａにて撮影されたドットの軌跡、すなわち、ペン部１０が通過した領域に印刷されたドット情報からペン部１０による筆跡情報が算出される（ステップＳ２）。ここで、ペン部１０による筆跡情報とは、ペン部１０によって描かれた情報が図形として表現される情報である。
【００３２】
その後、制御部６０における制御によって、ステップＳ２にて算出されたペン部１０による筆跡情報がメモリ４０に記録される（ステップＳ３）。
【００３３】
次に、図１に示したデジタルペンを用いて所定の用紙に記入された情報を消去する場合の動作について説明する。
【００３４】
図３は、図１に示したデジタルペンを用いて所定の用紙に記入された情報を消去する場合の動作を説明するためのフローチャートである。
【００３５】
カメラ３０ｂにおいては、消しゴム８０が対向する領域が常時撮影されており、また、制御部６０においては、消し圧センサー９０にて検出される消し圧が常時監視されている。
【００３６】
この状態において、所定のパターンを有するドットが印刷された用紙に記入された情報を消去するために消しゴム８０を用紙に接触させると、消し圧センサー９０において検出される消しゴム８０における消し圧が高くなり、制御部６０において、消し圧が所定値よりも高くなった場合、所定の用紙に記入された情報が消しゴム８０によって消去されていると判断される（ステップＳ１１）。ここで、ペン部１０から滲み出るインクは、消しゴムによって消去可能なものであり、例えば、Ｄ−ｉｎｋ（株式会社パイロット製）等が挙げられる。また、所定の用紙に印刷されたドットが視認可能となるような色（例えば青色）であることが好ましい。
【００３７】
すると、制御部６０において、用紙に印刷されたドットのうち、所定の用紙に記入された情報が消しゴム８０によって消去されていると判断された際にカメラ３０ｂにて撮影されたドットの軌跡、すなわち、消しゴム８０が通過した領域に印刷されたドット情報から消しゴム８０による消し跡情報が算出される（ステップＳ１２）。ここで、消しゴム８０による消し跡情報とは、消しゴム８０の軌跡によって表現される情報である。また、実際に消しゴム８０によって情報を消去するという動作においては、消しゴム８０が一度通過した領域を消しゴム８０がさらに複数回通過する可能性があるが、制御部６０においては、消しゴム８０が重複して同一の領域を通過した場合は、メモリ４０の容量を少なくするために、重複して撮影されたドット情報をメモリ４０に記録しないことも考えられる。また、消しゴム８０によって情報を消去した場合、消しゴム８０のかすが発生し、このかすによって、所定の用紙に印刷されたドットが隠れてしまう虞れがある。そこで、制御部６０においては、用紙に記入された情報が消しゴム８０にて消去されている状態においてドット情報が認識されなかった場合、その前後に撮影されたドットの軌跡から、認識されなかったドットの軌跡を推測し、それにより、消しゴム８０のかすによってドットが隠れてしまった場合であっても消しゴム８０による消し跡を算出することも可能である。また、カメラ３０ｂと用紙との距離は、消しゴム８０の消費に伴って変化するが、カメラ３０ｂにおけるドット検出可能距離に応じて、消しゴム８０の突出量を制御したり、消しゴム８０に所定のピッチのラインを表示したりすることが考えられ、それにより、消しゴム８０が用紙に接触した際に、用紙に印刷されたドットがカメラ３０ｂにて常に検出可能となる。なお、消し圧センサー９０にて検出される消しゴム８０における消し圧が高くなっているにも関わらずドット情報が認識されない状態が予め決められた時間だけ続いた場合は、アラームを出力し、それにより、消しゴム８０の突出量が不適切である旨を通知することも考えられる。なお、アラームの出力においては、スピーカ（不図示）からの警告音の発音や、ランプ（不図示）の点灯や点滅による方法等が考えられる。
【００３８】
その後、制御部６０における制御によって、ステップＳ１２にて算出された消しゴム８０による消し跡情報がメモリ４０に記録される（ステップＳ１３）。
【００３９】
ここで、メモリ４０に記録される筆跡情報及び消し跡情報について説明する。
【００４０】
図４は、図１に示したデジタルペンのメモリ４０内部を示す図である。
【００４１】
本形態におけるメモリ４０には、ステップＳ３（図２参照）にて記録された筆跡情報と、ステップＳ１３（図３参照）にて記録された消し跡情報とが、その記録された順序に従って時系列に記録されている。すなわち、デジタルペンを使用しているユーザが行った動作及びその動作による筆跡あるいは消し跡が、動作の順序に従って時系列に記録されている。
【００４２】
次に、図１に示したデジタルペンに蓄積された情報を送信する場合の動作について説明する。
【００４３】
図５は、図１に示したデジタルペンに蓄積された情報を送信する場合の動作を説明するためのフローチャートである。
【００４４】
所定の用紙に対する情報の記入や消去が終了し、このデジタルペンを使用しているユーザがデジタルペンに設けられたボタン（不図示）等を押下したり、用紙に設けられたファンクションエリアにチェックマークを記入したりする等といった操作を行うことにより、所定の用紙に記入した情報を送信することを指定すると（ステップＳ２１）、まず、制御部６０において、メモリ４０に記録された筆跡情報及び消し跡情報が読み出される（ステップＳ２２）。ここで、メモリ４０には、図４に示したように、筆跡情報と消し跡情報とが記録された順序に従って時系列に記録されているため、メモリ４０から読み出された筆跡情報及び消し跡情報は、メモリ４０に記録された順序が認識可能な形態で読み出される。
【００４５】
その後、制御部６０にてメモリ４０から読み出された筆跡情報及び消し跡情報は、通信部５０を介して送信される（ステップＳ２３）。ここで、通信部５０においては、メモリ４０から読み出された筆跡情報及び消し跡情報を、例えば、Ｂｌｕｅｔｏｏｔｈ技術等を用いて送信する。
【００４６】
通信部５０から送信された筆跡情報及び消し跡情報は、パーソナルコンピュータ等の情報処理機器にて受信される。筆跡情報及び消し跡情報を受信したパーソナルコンピュータ等の情報処理機器においては、受信した筆跡情報及び消し跡情報が、メモリ４０に記録された順序とともに認識され、筆跡情報から消し跡情報がその順序に従って消去される。また、消し跡情報の後に記録された筆跡情報によって、消し跡情報によって情報が消去された状態からさらに情報が記入されたものとされる。このような処理を、通信部５０から送信された筆跡情報及び消し跡情報の順序の最後まで行うことにより、デジタルペンによって所定の用紙に記入された情報が電子データとして与えられることになる。
【００４７】
なお、本形態においては、筆跡情報と消し跡情報とが、メモリ４０に記録された順序が認識可能となるように時系列に記録され、筆跡情報と消し跡情報とがパーソナルコンピュータ等の情報処理機器に送信された際に、この情報処理機器において、メモリ４０に記録された順序に従って筆跡情報から消し跡情報を消去しているが、デジタルペンの制御部６０において、筆跡情報をメモリ４０に記録する際に、メモリ４０に記録された筆跡情報を読み出し、読み出した筆跡情報にさらに筆跡情報を付け加え、また、消し跡情報をメモリ４０に記録する際に、メモリ４０に記録された筆跡情報を読み出し、読み出した筆跡情報から消し跡情報によって指定される位置の筆跡情報を消去することも考えられる。この場合、通信部５０からは、デジタルペンによって所定の用紙に記入された情報がそのまま電子データとして送信されることになる。
【００４８】
【発明の効果】
以上説明したように本発明においては、所定のパターンを有するドット情報が印刷された用紙に情報を記入するためのペン部と、用紙上にてペン部が通過した領域のドット情報を撮影するための第１の撮影手段と、第１の撮影手段にて撮影されたドット情報からペン部による筆跡情報を算出する制御手段と、制御手段にて算出された筆跡情報が記録される記録手段と、記録手段に記録され、制御手段の制御により読み出された筆跡情報を送信する通信手段とを有してなるデジタルペンにおいて、ペン部によって用紙上に記入された情報を消去するための消去手段と、用紙上にて消去手段が通過した領域のドット情報を撮影するための第２の撮影手段とを設け、制御手段において、第２の撮影手段にて撮影されたドット情報から消去手段による消し跡情報を算出し、ペン部による筆跡情報と消去手段による消し跡情報とを、時系列に前記記録手段に記録し、通信手段において、記録手段に記録され、制御手段の制御により読み出された筆跡情報及び消し跡情報をこれらの時系列状態が認識可能となるような形態で送信する構成としたため、用紙に記入した情報を消去可能であるとともに、電子データの送信先となるパーソナルコンピュータ等の情報処理機器において、消去された情報を認識することができる。
【００４９】
また、制御手段において、第２の撮影手段にて撮影されたドット情報から消去手段による消し跡情報を算出し、記録手段に記録された筆跡情報から消し跡情報による位置における筆跡情報を消去し、該筆跡情報を記録手段に記録するものにおいては、所定の用紙に記入された情報の電子データを情報処理機器に送信することができる。
【００５０】
また、制御手段において、消し圧検出手段にて検出された消し圧が所定値よりも高く、かつ、ドット情報が認識されない状態が所定時間続いた場合にアラームを出力するものにおいては、消去手段の状態が不適切な状態であることを通知することができる。
【図面の簡単な説明】
【図１】本発明のデジタルペンの実施の一形態を示す図である。
【図２】図１に示したデジタルペンを用いて所定の用紙に情報を記入する場合の動作を説明するためのフローチャートである。
【図３】図１に示したデジタルペンを用いて所定の用紙に記入された情報を消去する場合の動作を説明するためのフローチャートである。
【図４】図１に示したデジタルペンのメモリ内部を示す図である。
【図５】図１に示したデジタルペンに蓄積された情報を送信する場合の動作を説明するためのフローチャートである。
【図６】従来のデジタルペンの一構成例を示す図である。
【符号の説明】
１０　　ペン部
２０　　筆圧センサー
３０ａ，３０ｂ　　カメラ
４０　　メモリ
５０　　通信部
６０　　制御部
７０　　電源部
８０　　消しゴム
９０　　消し圧センサー
【図１】
2004094558.tif 000003
【図２】
2004094558.tif 000004
【図３】
2004094558.tif 000005
【図４】
2004094558.tif 000006
【図５】
2004094558.tif 000007
【図６】
2004094558.tif 000008